(57)【特許請求の範囲】
【請求項１】
一端を開口部、他端をショート面とする円形導波管内の管軸と直交する異なる２つの平面上に相互に直交する２つのプローブを設けて水平偏波または垂直偏波を分離して受信する偏波分波装置において、前記開口部側に設けたプローブのショート板を前記ショート面から前記開口部に向かって立設し、同ショート板の先端が前記開口部側に設けたプローブと前記ショート面側に設けたプローブとの間に配設し、前記ショート板に平行な偏波を同ショート板で反射させ前記ショート面側に設けたプローブで受信させないようにしたことを特徴とする偏波分波装置。
【請求項２】
前記開口部側に設けたプローブに代えて、矩形導波管変換用のスロットとしたことを特徴とする請求項１記載の偏波分波装置。
【発明の詳細な説明】
【０００１】
【発明の属する技術分野】
本発明は、衛星受信アンテナとして使用する水平偏波及び垂直偏波を受信する偏波分波装置に係り、より詳細には製造の容易なショート板の構造に関する。
【０００２】
【従来の技術】
衛星アンテナ用の一次放射器に使用する偏波分波装置では、円形導波管内の水平偏波と垂直偏波を混信しないように受信するために、円形導波管内の異なる面でそれぞれの偏波を受信する必要がある。図３は、従来の偏波分波装置の一例の要部の（Ａ）正面図、（Ｂ）側断面図（同図ｃ３−ｃ３断面）である。円形導波管１１の前方の開口部１１ａから導入される通信衛星等からの電波を、同円形導波管の後方に配置した水平偏波用プローブ１２と、前方に配置した垂直偏波用プローブ１３でそれぞれの偏波を分離して受信する。受信した電波信号は、回路基板１５に導かれ、増幅、周波数変換等を行い衛星用チューナ等に伝送して利用に供する。円形導波管１１の後方に配置した水平偏波用プローブ１２に対しては、円形導波管１１の奥部がショート面１１ｂとして働く。また、前方に配置した垂直偏波用プローブ１３に対しては、垂直偏波用プローブ１３の後方に円形導波管１１の横部から螺入したネジ３４の前面をショート面３４ａとしている。しかし、このような構造では、ネジ３４を円形導波管１１の横部から螺入し、さらにネジ３４の頭部をシリコン樹脂等でシールして防水加工をしなければならず、製造に手間を要するという問題がある。
【０００３】
図４は、従来の偏波分波装置の別の例の要部の（Ａ）正面図、（Ｂ）側断面図（同図ｃ４−ｃ４断面）である。この例では、円形導波管２１の前方の開口部２１ａから導入される電波を、導波管の後方に配置した垂直偏波用プローブ２２と、前方に配置した矩形導波管２６に変換する水平偏波用スロット２３ａでそれぞれの偏波を分離して受信する。受信した電波信号は、垂直偏波用プローブ２２及びマイクロストリップライン２３により回路基板２５に導き、増幅、周波数変換等を行い衛星用チューナ等に伝送して利用に供する。円形導波管２１の後方に配置した垂直偏波用プローブ２２に対しては、円形導波管２１の奥部がショート面２１ｂとして働く。また、前方に配置した水平偏波用スロット２３ａに対しては、円形導波管２１内に挿入した板金４４の前面をショート面４４ａとしている。しかし、このような構造でも板金４４は円形導波管２１と一体の金型では成形できず、後から円形導波管２１内に挿入する必要があり、製造に手間を要するという問題がある。
【０００４】
【発明が解決しようとする課題】
本発明は上記問題点に鑑みなされたもので、水平偏波及び垂直偏波を受信する偏波分波装置のショート板を容易に製造できる構造とすることを目的とする。
【０００５】
【課題を解決するための手段】
一端を開口部、他端をショート面とする円形導波管内の管軸と直交する異なる２つの平面上に相互に直交する２つのプローブを設けて水平偏波または垂直偏波を分離して受信する偏波分波装置において、前記開口部側に設けたプローブのショート板を前記ショート面から前記開口部に向かって立設し、同ショート板の先端が前記開口部側に設けたプローブと前記ショート面側に設けたプローブとの間に配設し、前記ショート板に平行な偏波を同ショート板で反射させ前記ショート面側に設けたプローブで受信させないようにする構造とする。
【０００６】
また、前記開口部側に設けたプローブに代えて、矩形導波管変換用のスロットとする。
【０００７】
【０００８】
【発明の実施の形態】
以下に本発明の実施の形態について、図を用いて説明する。図１は、本発明による偏波分波装置の１実施例の要部の（Ａ）正面図、（Ｂ）側断面図（同図ｃ１−ｃ１断面）である。従来例（図３）と同様に、円形導波管１１の前方の開口部１１ａから導入される通信衛星等からの電波を、円形導波管１１のショート面１１ｂ側に配置した水平偏波用プローブ１２と、円形導波管１１の開口部１１ａ側に配置した垂直偏波用プローブ１３でそれぞれの偏波を分離して受信する。受信した電波信号は、回路基板１５に導かれ、増幅、周波数変換等を行い衛星用チューナ等に伝送して利用に供する。円形導波管１１のショート面１１ｂ側に配置した水平偏波用プローブ１２に対しては、円形導波管１１の奥部がショート面１１ｂとして働く。一方、円形導波管１１の開口部側に配置した垂直偏波用プローブ１３に対しては、円形導波管１１のショート面１１ｂから開口部１１ａに向かって立設し、先端が開口部１１ａ側に設けた垂直偏波プローブ１３とショート面１１ｂ側に設けた水平偏波用プローブ１２との間に配設されたショート板１４の前面をショート面１４ａとする。このようなショート板１４の構造とすることにより、ショート板１４を円形導波管１１の筐体と一体で形成できることとなり、製造が容易となる。また、ショート面１１ｂと水平偏波用プローブ１２間との間隔Ｌ１及びショート板１４の前面のショート面１４ａと垂直偏波用プローブ１３との間隔Ｌ２を、受信電波の管内波長の４分の１とする。これにより、各偏波を各々のプローブで能率良く受信できるようになる。なお、垂直偏波用プローブ１３及び水平偏波用プローブ１２と円形導波管１１との間は、テフロン１３ａ等で絶縁してある。
【０００９】
図２は、本発明による偏波分波装置の別の実施例の要部の（Ａ）正面図、（Ｂ）側断面図（同図ｃ２１−ｃ２１断面）Ｂ）、平断面図（同図ｃ２２−ｃ２２断面）である。この例では、従来例（図４）と同様に、円形導波管２１の前方の開口部２１ａから導入される電波を、円形導波管の後方（ショート面２１ｂ側）に配置した垂直偏波用プローブ２２と、前方（開口部２１ａ側）に配置したマイクロストリップライン２３で給電する水平偏波用スロット２３ａでそれぞれの偏波を分離して受信する。受信した電波信号は、垂直偏波用プローブ２２及びマイクロストリップライン２３により回路基板２５に導かれ、増幅、周波数変換等を行い衛星用チューナ等に伝送して利用に供する。円形導波管２１の後方（ショート面２１ｂ側）に配置した垂直偏波用プローブ２２に対しては、円形導波管２１の奥部がショート面２１ｂとして働く。一方矩形導波管２６への変換用の水平偏波用スロット２３ａに対しては、円形導波管２１のショート面２１ｂから開口部２１ａに向かって立設し、先端が開口部２１ａ側に設けた水平偏波用スロット２３ａとショート面２１ｂ側に設けたプローブの間に配設されたショート板２４の前面をショート面２４ａとする。このようなショート板２４の構造とすることにより、ショート板２４を円形導波管２１の筐体と一体で形成できることとなり、製造が容易となる。また、ショート面２１ｂと垂直偏波用プローブ２２との間隔及びショート板２４の前面のショート面２４ａと水平偏波用スロット２３ａとの間隔を、受信電波の管内波長の４分の１とする。これにより、各偏波を各々のプローブ、スロットで能率良く受信できるようになる。なお、垂直偏波用プローブ２２と円形導波管２１との間は、テフロン２２ａ等で絶縁してある。
【００１０】
【発明の効果】
以上に説明したように、一端を開口部、他端をショート面とする円形導波管内の管軸と直交する異なる２つの平面上に相互に直交する２つのプローブを設けて水平偏波または垂直偏波を分離して受信する偏波分波装置において、開口部側に設けたプローブのショート板をショート面から開口部に向かって立設し、同ショート板の先端が開口部側に設けたプローブとショート面側に設けたプローブとの間に配設される構造とすることにより、ショート板が円形導波管の筐体と一体で形成できることとなり、偏波分波装置が容易に製造できるようになる。
【００１１】
さらに、ショート板に平行な偏波を同ショート板で反射させショート面側に設けたプローブで受信させないようにする構造とすることで、直交する偏波（水平および垂直偏波）を分離して混信を防ぎ、能率よく受信できる偏波分波装置となる。
【００１２】
また、上記の開口部側に設けたプローブに代えて、矩形導波管変換用のスロットとすることにより、ショート板が円形導波管の筐体と一体で形成できることとなり、偏波分波装置が容易に製造できるようになる。
【図面の簡単な説明】
【図１】本発明による偏波分波装置の１実施例の要部の（Ａ）正面図、（Ｂ）側断面図（同図ｃ１−ｃ１断面）である。
【図２】本発明による偏波分波装置の別の実施例の要部の（Ａ）正面図、（Ｂ）側断面図（同図ｃ２１−ｃ２１断面）、（Ｂ）側断面図（同図ｃ２２−ｃ２２断面）である。
【図３】従来の偏波分波装置の一例の要部の（Ａ）正面図、（Ｂ）側断面図（同図ｃ３−ｃ３断面）である。
【図４】従来の偏波分波装置の別の例の要部の（Ａ）正面図、（Ｂ）側断面図（同図ｃ４−ｃ４断面）である。
【符号の説明】
１１ 円形導波管
１１ａ 開口部
１１ｂ ショート面
１２ 水平偏波用プローブ
１３ 垂直偏波用プローブ
１３ａ テフロン
１４ ショート板
１５ 回路基板
２１ 円形導波管
２１ａ 開口部
２１ｂ ショート面
２２ 垂直偏波用プローブ
２２ａ テフロン
２３ マイクロストリップライン
２３ａ 水平偏波用スロット
２４ ショート板
２５ 回路基板
２６ 矩形導波管
【図１】
0004114266.tif 000002
【図２】
0004114266.tif 000003
【図３】
0004114266.tif 000004
【図４】
0004114266.tif 000005